【手続補正書】
【提出日】令和2年3月23日(2020.3.23)
【手続補正１】
【補正対象書類名】明細書
【補正対象項目名】０００７
【補正方法】変更
【補正の内容】
【０００７】
上記目的を達成するために、本発明は、任意の数の他の照明装置と無線通信が可能に接続され、撮像装置に対して通信可能に装着されて、前記他の照明装置と同期して駆動される照明装置であって、自身の充電完了情報を第１の充電完了情報として取得するとともに、前記他の照明装置から前記他の照明装置の充電完了情報を第２の充電完了情報として取得する取得手段と、前記第１の充電完了情報と前記第２の充電完了情報とを合わせて又は前記第１の充電完了情報と前記第２の充電完了情報とを分けて送信する送信手段と、前記撮像装置との通信により前記撮像装置から前記第１の充電完了情報と前記第２の充電完了情報とを分けて送信する指示があったか否かを判定する判定手段と、を備え、前記送信手段は、前記撮像装置から前記第１の充電完了情報と前記第２の充電完了情報とを分けて送信する前記指示があったと前記判定手段が判定した場合に、前記第１の充電完了情報と前記第２の充電完了情報とを分けて前記撮像装置に送信することを特徴とする。
【手続補正２】
【補正対象書類名】明細書
【補正対象項目名】０００８
【補正方法】変更
【補正の内容】
【０００８】
また、上記目的を達成するために、本発明は、任意の数の他の照明装置と無線通信が可能に接続され、撮像装置に対して通信可能に装着されて、前記他の照明装置と同期して駆動される照明装置であって、自身の充電完了情報を第１の充電完了情報として取得するとともに、前記他の照明装置から前記他の照明装置の充電完了情報を第２の充電完了情報として取得する取得手段と、前記第１の充電完了情報と前記第２の充電完了情報とを合わせて又は前記第１の充電完了情報と前記第２の充電完了情報とを分けて送信する送信手段と、前記撮像装置との通信により取得した前記撮像装置の機種情報から前記撮像装置が前記第１の充電完了情報と前記第２の充電完了情報とを分けて受信が可能か否かを判定する判定手段と、を備え、前記送信手段は、前記撮像装置が前記第１の充電完了情報と前記第２の充電完了情報とを分けて受信が可能と前記判定手段が判定した場合に、前記第１の充電完了情報と前記第２の充電完了情報とを分けて前記撮像装置に送信することを特徴とする。
【手続補正３】
【補正対象書類名】特許請求の範囲
【補正対象項目名】全文
【補正方法】変更
【補正の内容】
【特許請求の範囲】
【請求項１】
任意の数の他の照明装置と無線通信が可能に接続され、撮像装置に対して通信可能に装着されて、前記他の照明装置と同期して駆動される照明装置であって、
自身の充電完了情報を第１の充電完了情報として取得するとともに、前記他の照明装置から前記他の照明装置の充電完了情報を第２の充電完了情報として取得する取得手段と、
前記第１の充電完了情報と前記第２の充電完了情報とを合わせて又は前記第１の充電完了情報と前記第２の充電完了情報とを分けて送信する送信手段と、
前記撮像装置との通信により前記撮像装置から前記第１の充電完了情報と前記第２の充電完了情報とを分けて送信する指示があったか否かを判定する判定手段と、を備え、
前記送信手段は、前記撮像装置から前記第１の充電完了情報と前記第２の充電完了情報とを分けて送信する前記指示があったと前記判定手段が判定した場合に、前記第１の充電完了情報と前記第２の充電完了情報とを分けて前記撮像装置に送信することを特徴とする照明装置。
【請求項２】
任意の数の他の照明装置と無線通信が可能に接続され、撮像装置に対して通信可能に装着されて、前記他の照明装置と同期して駆動される照明装置であって、
自身の充電完了情報を第１の充電完了情報として取得するとともに、前記他の照明装置から前記他の照明装置の充電完了情報を第２の充電完了情報として取得する取得手段と、
前記第１の充電完了情報と前記第２の充電完了情報とを合わせて又は前記第１の充電完了情報と前記第２の充電完了情報とを分けて送信する送信手段と、
前記撮像装置との通信により取得した前記撮像装置の機種情報から前記撮像装置が前記第１の充電完了情報と前記第２の充電完了情報とを分けて受信が可能か否かを判定する判定手段と、を備え、
前記送信手段は、前記撮像装置が前記第１の充電完了情報と前記第２の充電完了情報とを分けて受信が可能と前記判定手段が判定した場合に、前記第１の充電完了情報と前記第２の充電完了情報とを分けて前記撮像装置に送信することを特徴とする照明装置。
【請求項３】
前記送信手段は、前記第１の充電完了情報と前記第２の充電完了情報とを合わせた情報をアナログ通信により前記撮像装置に送信し、
前記第１の充電完了情報と前記第２の充電完了情報とを分けた情報のうち、前記第１の充電完了情報をデジタル通信により前記撮像装置に送信し、前記第２の充電完了情報をアナログ通信により前記撮像装置に送信することを特徴とする請求項１又は２に記載の照明装置。
【請求項４】
前記送信手段は、前記第１の充電完了情報と前記第２の充電完了情報とを合わせた情報をデジタル通信により前記撮像装置に送信し、
前記第１の充電完了情報と前記第２の充電完了情報とを分けた情報のうち、前記第１の充電完了情報をデジタル通信により前記撮像装置に送信し、前記第２の充電完了情報をアナログ通信により前記撮像装置に送信することを特徴とする請求項１又は２に記載の照明装置。
【請求項５】
前記送信手段は、前記第１の充電完了情報と前記第２の充電完了情報とを合わせた情報をアナログ通信により前記撮像装置に送信し、
前記第１の充電完了情報と前記第２の充電完了情報とを分けた情報をそれぞれ通信の内容を分けて前記撮像装置に送信し、
更に、複数の前記他の照明装置のすべてが充電完了である場合は、前記第２の充電完了情報をアナログ通信により前記撮像装置に送信することを特徴とする請求項１又は２に記載の照明装置。
【請求項６】
前記送信手段は、前記第１の充電完了情報と前記第２の充電完了情報とを合わせた情報をアナログ通信により前記撮像装置に送信し、
前記第１の充電完了情報と前記第２の充電完了情報とを分けた情報のうち、前記第１の充電完了情報をアナログ通信により前記撮像装置に送信し、前記第２の充電完了情報をデジタル通信により前記撮像装置に送信することを特徴とする請求項１又は２に記載の照明装置。
【請求項７】
前記送信手段は、前記第１の充電完了情報と前記第２の充電完了情報とを合わせた情報をデジタル通信により前記撮像装置に送信し、
前記第１の充電完了情報と前記第２の充電完了情報とを分けた情報のうち、前記第１の充電完了情報をアナログ通信により前記撮像装置に送信し、前記第２の充電完了情報をデジタル通信により前記撮像装置に送信することを特徴とする請求項１又は２に記載の照明装置。
【請求項８】
前記送信手段は、前記第１の充電完了情報と前記第２の充電完了情報とを合わせた情報をアナログ通信で前記撮像装置に送信し、
前記第１の充電完了情報と前記第２の充電完了情報とを分けた情報をデジタル通信によりそれぞれ通信の内容を分けて前記撮像装置に送信することを特徴とする請求項１又は２に記載の照明装置。
【請求項９】
前記送信手段は、前記第１の充電完了情報と前記第２の充電完了情報とを合わせた情報をデジタル通信で前記撮像装置に送信し、
前記第１の充電完了情報と前記第２の充電完了情報とを分けた情報をデジタル通信によりそれぞれ通信の内容を分けて前記撮像装置に送信することを特徴とする請求項１又は２に記載の照明装置。
【請求項１０】
前記送信手段は、前記第１の充電完了情報と前記第２の充電完了情報とを分けた情報をデジタル通信で前記撮像装置に送信する際、複数の前記他の照明装置のすべてが充電完了である場合、前記第２の充電完了情報を、前記複数の他の照明装置ごとの充電完了情報と前記複数の他の照明装置のすべてが充電完了した全充電完了情報とに分けて送信することを特徴とする請求項６乃至９のいずれか一項に記載の照明装置。
【請求項１１】
任意の数の他の照明装置と無線通信が可能に接続され、撮像装置に対して通信可能に装着されて、前記他の照明装置と同期して駆動され、自身の充電完了情報を第１の充電完了情報として取得するとともに、前記他の照明装置から前記他の照明装置の充電完了情報を第２の充電完了情報として取得する照明装置の制御方法であって、
前記第１の充電完了情報と前記第２の充電完了情報とを合わせて又は前記第１の充電完了情報と前記第２の充電完了情報とを分けて送信する送信ステップと、
前記撮像装置との通信により前記撮像装置から前記第１の充電完了情報と前記第２の充電完了情報とを分けて送信する指示があったか否かを判定する判定ステップと、を備え、
前記送信ステップは、前記撮像装置から前記第１の充電完了情報と前記第２の充電完了情報とを分けて送信する前記指示があったと判定された場合に、前記第１の充電完了情報と前記第２の充電完了情報とを分けて前記撮像装置に送信することを特徴とする照明装置の制御方法。
【請求項１２】
任意の数の他の照明装置と無線通信が可能に接続され、撮像装置に対して通信可能に装着されて、前記他の照明装置と同期して駆動され、自身の充電完了情報を第１の充電完了情報として取得するとともに、前記他の照明装置から取得した前記他の照明装置の充電完了情報を第２の充電完了情報として取得する照明装置の制御方法であって、
前記第１の充電完了情報と前記第２の充電完了情報とを合わせて又は前記第１の充電完了情報と前記第２の充電完了情報とを分けて送信する送信ステップと、
前記撮像装置との通信により取得した前記撮像装置の機種情報から前記撮像装置が前記第１の充電完了情報と前記第２の充電完了情報とを分けて受信が可能か否かを判定する判定ステップと、を備え、
前記送信ステップは、前記撮像装置が前記第１の充電完了情報と前記第２の充電完了情報とを分けて受信が可能と判定された場合に、前記第１の充電完了情報と前記第２の充電完了情報とを分けて前記撮像装置に送信することを特徴とする照明装置の制御方法。